(57)【要約】【課題】読み取った原稿の画像を操作パネルにプレビュー表示し、画像の確認や指定したモードによる出力結果のイメージを確認後に印字を開始する印字前プレビューモードが設定されている場合、無駄な電力の消費を可及的に抑制できる画像形成装置等を提供する。【解決手段】コピージョブについて、画像形成手段１４０による出力画像の印字前に読み取った画像を前記プレビュー表示手段１３４によりプレビュー表示する印字前プレビューモードを、予め設定しておくプレビューモード設定手段１０１と、電源手段１７０による電力供給を制御すると共に、プレビューモード設定手段によって印字前プレビューモードが設定されている場合には、省電力からの復帰時に、電源手段から画像形成手段への電力供給を遅延させる制御手段１０１を備えている。【選択図】図２
2018169560.tif 000002
【特許請求の範囲】
【請求項１】
原稿の画像を読み取って画像データに変換する画像読取り手段と、
画像データを記憶する画像データ記憶手段と、
画像データ記憶手段の画像データに基づいて出力画像の印字を行う画像形成手段と、
画像読取り手段、画像データ記憶手段及び画像形成手段に、個別に電力を供給する電源手段と、
読み取った画像をプレビュー表示するプレビュー表示手段と、
コピージョブについて、前記画像形成手段による出力画像の印字前に読み取った画像を前記プレビュー表示手段によりプレビュー表示する印字前プレビューモードを、予め設定しておくプレビューモード設定手段と、
前記電源手段による電力供給を制御すると共に、前記プレビューモード設定手段によって印字前プレビューモードが設定されている場合には、省電力からの復帰時に、前記電源手段から画像形成手段への電力供給を遅延させる制御手段と、
を備えたことを特徴とする画像形成装置。
【請求項２】
前記画像読取り手段によって読み取った画像のページ数を計測するページ数計測手段と、プレビューの表示時間を計測するプレビュー表示時間計測手段とを備え、
前記制御手段は、前記画像形成手段の立ち上げに要する時間と、前記プレビュー表示時間計測手段によるプレビュー表示の時間計測結果と、前記ページ数計測手段により計測されたページ数から、前記画像形成手段の起動タイミングを計算し、計算された起動タイミングで前記電源手段に画像形成手段への電力供給を開始させることを特徴とする請求項１に記載の画像形成装置。
【請求項３】
前記画像形成手段の立ち上げに要する時間は、画像形成手段に備えられた定着器の現在の温度から温度調整完了と判断される目標温度に達するまでの時間であることを特徴とする請求項２に記載の画像形成装置。
【請求項４】
温度調整完了と判断される目標温度は、カラーで印字する場合と、モノクロで印字する場合でそれぞれ切り替えられることを特徴とする請求項３に記載のの画像形成装置。
【請求項５】
温調完了と判断される目標温度は、設定された用紙種類で切り替えられることを特徴とする請求項３に記載の画像形成装置。
【請求項６】
前記画像読取り手段によって読み取った画像のページ数が、一定ページ数以下の場合には、前記制御手段は、プレビュー開始と同時に前記電源手段に画像形成手段への電力供給を開始させることを特徴とする請求項１〜５のいずれかに記載の画像形成装置。
【請求項７】
前記プレビュー表示手段は、複数ページを一度にプレビュー表示でき、
プレビュー表示時間計測手段は、一度に表示可能なページ数単位でのプレビュー表示時間を計測することを特徴とする請求項２〜６のいずれかに記載の画像形成装置。
【請求項８】
前記プレビュー表示手段は、特定ページからプレビュー表示でき、
前記制御手段は、特定ページが停止もしくは所定速度以下でスクロールされることにより、所定時間以上表示されていた場合、そのページが表示されたものとみなし、未表示のページ数から、画像形成手段の起動タイミングを計算し、計算された起動タイミングで前記電源手段に画像形成手段への電力供給を開始させることを特徴とする請求項１〜７のいずれかに記載の画像形成装置。
【請求項９】
前記制御手段は、画像形成手段の起動前にスタートキーが押下された場合は、直ちに電源手段に画像形成手段への電力供給を開始させることを特徴とする請求項１〜８のいずれかに記載の画像形成装置。
【請求項１０】
前記プレビュー表示手段は、前記画像読取り手段による原稿の読み込みと並行して、自動的にプレビュー画像を表示するリアルタイムプレビュー表示機能を有し、
前記プレビュー表示手段によってリアルタイムプレビュー表示を行う場合は、前記制御手段は、最終原稿の給紙開始と同時に、予め決められた表示時間に基づいて画像形成手段の起動タイミングを計算し、計算された起動タイミングで前記電源手段に画像形成手段への電力供給を開始させることを特徴とする請求項１〜９のいずれかに記載の画像形成装置。
【請求項１１】
前記制御手段は、前記プレビュー表示手段によるリアルタイムプレビュー表示が途中で中止された場合には、直ちに電源手段に画像形成手段への電力供給を開始させることを特徴とする請求項１０に記載の画像形成装置。
【請求項１２】
原稿の画像を読み取って画像データに変換する画像読取り手段と、
画像データを記憶する画像データ記憶手段と、
画像データ記憶手段の画像データに基づいて出力画像の印字を行う画像形成手段と、
画像読取り手段、画像データ記憶手段及び画像形成手段に、個別に電力を供給する電源手段と、
読み取った画像をプレビュー表示するプレビュー表示手段と、
を備えた画像形成装置が、
コピージョブについて、前記画像形成ステップによる出力画像の印字前に読み取った画像を前記プレビュー表示手段によりプレビュー表示する印字前プレビューモードを、予め設定しておくプレビューモード設定ステップと、
前記電源手段による電力供給を制御すると共に、前記プレビューモード設定ステップによって印字前プレビューモードが設定されている場合には、省電力からの復帰時に、前記電源手段から画像形成手段への電力供給を遅延させる制御ステップと、
を実行することを特徴とする画像形成装置の省電力復帰方法。
【請求項１３】
原稿の画像を読み取って画像データに変換する画像読取り手段と、
画像データを記憶する画像データ記憶手段と、
画像データ記憶手段の画像データに基づいて出力画像の印字を行う画像形成手段と、
画像読取り手段、画像データ記憶手段及び画像形成手段に、個別に電力を供給する電源手段と、
読み取った画像をプレビュー表示するプレビュー表示手段と、
を備えた画像形成装置のコンピュータに、
コピージョブについて、前記画像形成ステップによる出力画像の形成前に読み取った画像を前記プレビュー表示手段によりプレビュー表示する印字前プレビューモードを、予め設定しておくプレビューモード設定ステップと、
前記電源手段による電力供給を制御すると共に、前記プレビューモード設定ステップによって印字前プレビューモードが設定されている場合には、省電力からの復帰時に、前記電源手段から画像形成手段への電力供給を遅延させる制御ステップと、
を実行させるための省電力復帰プログラム。
【発明の詳細な説明】
【技術分野】
【０００１】
この発明は、例えば多機能デジタル複合機であるＭＦＰ（Multi Function Peripherals）等の画像形成装置、同装置で実行される省電力復帰方法及び省電力復帰プログラムに関する。
【背景技術】
【０００２】
従来から、上記のようなＭＦＰにはユーザが利用していないときに、消費電力抑制のために、ＭＦＰを構成するハードウェアの一部への電力供給を停止する省電力機能がある。例えば、操作パネルが操作されていない状態で一定時間経過すると、あらかじめ設定した省電力レベルに応じて、スキャナ部、エンジン部、定着部、記憶装置などを省電力状態に移行させ、省電力状態中に操作パネル等を操作することで、省電力状態から通常の電力状態に復帰する。これらの機能により、ＭＦＰが利用されていない状態での電力消費を抑制することが出来る。
【０００３】
また、特許文献１や特許文献２に記載されているように、さらに消費電力を抑制するため、操作パネル等を操作した場合に、ＭＦＰすべてを復帰させるのではなく、スキャン機能を利用する場合には、スキャン機能では利用しないエンジン部、定着部を含む画像形成部は復帰させないといった動作も実現されている。
【０００４】
なお、コピー機能を使用する場合には、原稿の読取り、印字を伴うため、操作パネル等の操作によりコピー機能を使用すると判断された場合には、従来では、画像形成部を含めてＭＦＰのすべての部位を復帰させていた。
【先行技術文献】
【特許文献】
【０００５】
【特許文献１】特開２０１５−３２９０１号公報
【特許文献２】特開２０１４−８９４９３号公報
【発明の概要】
【発明が解決しようとする課題】
【０００６】
ところで、コピー機能の使用時に、モード設定後、１枚目の原稿の読取りを完了するとすぐに印字を開始する場合もあるが、読み取った原稿について、操作パネルにプレビュー画像を表示し、読み取った画像の確認や設定したモードによる出力結果のイメージを確認後、再度、スタートキーを押下することで、印字を開始するといった動作を行う印字前プレビューモードの機能を有するＭＦＰがある。
【０００７】
しかし、このような印字前プレビューモードが設定されている場合において、従来と同様に、コピー機能を使用すると判断されたときにＭＦＰの全ての部位を復帰させると、原稿の読取り中やプレビューの確認中といった印字が開始されない状態であっても、エンジン部、定着部を含む画像形成部も復帰することになり、無駄な電力を消費するという課題があった。
【０００８】
この発明は、このような技術的背景に鑑みてなされたものであって、読み取った原稿の画像を操作パネルにプレビュー表示し、画像の確認や指定したモードによる出力結果のイメージを確認後に印字を開始する印字前プレビューモードが設定されている場合に、無駄な電力の消費を可及的に抑制することができる画像形成装置、同装置の省電力復帰方法及び省電力復帰プログラムを提供することを課題とする。
【課題を解決するための手段】
【０００９】
上記課題は、以下の手段によって解決される。
（１）原稿の画像を読み取って画像データに変換する画像読取り手段と、画像データを記憶する画像データ記憶手段と、画像データ記憶手段の画像データに基づいて出力画像の印字を行う画像形成手段と、画像読取り手段、画像データ記憶手段及び画像形成手段に、個別に電力を供給する電源手段と、読み取った画像をプレビュー表示するプレビュー表示手段と、コピージョブについて、前記画像形成手段による出力画像の印字前に読み取った画像を前記プレビュー表示手段によりプレビュー表示する印字前プレビューモードを、予め設定しておくプレビューモード設定手段と、前記電源手段による電力供給を制御すると共に、前記プレビューモード設定手段によって印字前プレビューモードが設定されている場合には、省電力からの復帰時に、前記電源手段から画像形成手段への電力供給を遅延させる制御手段と、を備えたことを特徴とする画像形成装置。
（２）前記画像読取り手段によって読み取った画像のページ数を計測するページ数計測手段と、プレビューの表示時間を計測するプレビュー表示時間計測手段とを備え、前記制御手段は、前記画像形成手段の立ち上げに要する時間と、前記プレビュー表示時間計測手段によるプレビュー表示の時間計測結果と、前記ページ数計測手段により計測されたページ数から、前記画像形成手段の起動タイミングを計算し、計算された起動タイミングで前記電源手段に画像形成手段への電力供給を開始させることを特徴とする前項１に記載の画像形成装置。
（３）前記画像形成手段の立ち上げに要する時間は、画像形成手段に備えられた定着器の現在の温度から温度調整完了と判断される目標温度に達するまでの時間であることを特徴とする前項２に記載の画像形成装置。
（４）温度調整完了と判断される目標温度は、カラーで印字する場合と、モノクロで印字する場合でそれぞれ切り替えられることを特徴とする前項３に記載のの画像形成装置。
（５）温調完了と判断される目標温度は、設定された用紙種類で切り替えられることを特徴とする前項３に記載の画像形成装置。
（６）前記画像読取り手段によって読み取った画像のページ数が、一定ページ数以下の場合には、前記制御手段は、プレビュー開始と同時に前記電源手段に画像形成手段への電力供給を開始させることを特徴とする前項１〜５のいずれかに記載の画像形成装置。
（７）前記プレビュー表示手段は、複数ページを一度にプレビュー表示でき、プレビュー表示時間計測手段は、一度に表示可能なページ数単位でのプレビュー表示時間を計測することを特徴とする前項２〜６のいずれかに記載の画像形成装置。
（８）前記プレビュー表示手段は、特定ページからプレビュー表示でき、前記制御手段は、特定ページが停止もしくは所定速度以下でスクロールされることにより、所定時間以上表示されていた場合、そのページが表示されたものとみなし、未表示のページ数から、画像形成手段の起動タイミングを計算し、計算された起動タイミングで前記電源手段に画像形成手段への電力供給を開始させることを特徴とする前項１〜７のいずれかに記載の画像形成装置。
（９）前記制御手段は、画像形成手段の起動前にスタートキーが押下された場合は、直ちに電源手段に画像形成手段への電力供給を開始させることを特徴とする前項１〜８のいずれかに記載の画像形成装置。
（１０）前記プレビュー表示手段は、前記画像読取り手段による原稿の読み込みと並行して、自動的にプレビュー画像を表示するリアルタイムプレビュー表示機能を有し、前記プレビュー表示手段によってリアルタイムプレビュー表示を行う場合は、前記制御手段は、最終原稿の給紙開始と同時に、予め決められた表示時間に基づいて画像形成手段の起動タイミングを計算し、計算された起動タイミングで前記電源手段に画像形成手段への電力供給を開始させることを特徴とする前項１〜９のいずれかに記載の画像形成装置。
（１１）前記制御手段は、前記プレビュー表示手段によるリアルタイムプレビュー表示が途中で中止された場合には、直ちに電源手段に画像形成手段への電力供給を開始させることを特徴とする前項１０に記載の画像形成装置。
（１２）原稿の画像を読み取って画像データに変換する画像読取り手段と、画像データを記憶する画像データ記憶手段と、画像データ記憶手段の画像データに基づいて出力画像の印字を行う画像形成手段と、画像読取り手段、画像データ記憶手段及び画像形成手段に、個別に電力を供給する電源手段と、読み取った画像をプレビュー表示するプレビュー表示手段と、を備えた画像形成装置が、コピージョブについて、前記画像形成ステップによる出力画像の印字前に読み取った画像を前記プレビュー表示手段によりプレビュー表示する印字前プレビューモードを、予め設定しておくプレビューモード設定ステップと、前記電源手段による電力供給を制御すると共に、前記プレビューモード設定ステップによって印字前プレビューモードが設定されている場合には、省電力からの復帰時に、前記電源手段から画像形成手段への電力供給を遅延させる制御ステップと、を実行することを特徴とする画像形成装置の省電力復帰方法。
（１３）原稿の画像を読み取って画像データに変換する画像読取り手段と、画像データを記憶する画像データ記憶手段と、画像データ記憶手段の画像データに基づいて出力画像の印字を行う画像形成手段と、画像読取り手段、画像データ記憶手段及び画像形成手段に、個別に電力を供給する電源手段と、読み取った画像をプレビュー表示するプレビュー表示手段と、を備えた画像形成装置のコンピュータに、コピージョブについて、前記画像形成ステップによる出力画像の形成前に読み取った画像を前記プレビュー表示手段によりプレビュー表示する印字前プレビューモードを、予め設定しておくプレビューモード設定ステップと、前記電源手段による電力供給を制御すると共に、前記プレビューモード設定ステップによって印字前プレビューモードが設定されている場合には、省電力からの復帰時に、前記電源手段から画像形成手段への電力供給を遅延させる制御ステップと、を実行させるための省電力復帰プログラム。
【発明の効果】
【００１０】
前項（１）に記載の発明によれば、コピージョブについて、画像形成手段による出力画像の印字前に読み取った画像をプレビュー表示する印字前プレビューモードが予め設定されている場合には、省電力からの復帰時に、電源手段から画像形成手段への電力供給が遅延されるから、原稿の読取り中やプレビューの確認中といった印字が開始されない状態のときに画像形成手段が復帰することによる無駄な電力の消費を抑制することができる。
【００１１】
前項（２）に記載の発明によれば、画像形成手段の立ち上げに要する時間と、プレビュー表示の時間計測結果と、計測されたページ数から、画像形成手段の起動タイミングを計算し、計算された起動タイミングで画像形成手段への電力供給が開始されるから、プレビュー表示の完了に合わせて印字を開始することができ、消費電力の抑制を図りながら、ユーザーが出力物を受け取るまでの時間を短くでき、最適な起動タイミングで画像形成手段へ電力を供給することができる。
【００１２】
前項（３）に記載の発明によれば、画像形成手段に備えられた定着器の現在の温度から温度調整完了と判断される目標温度に達するまでの時間により、画像形成手段の立ち上げに要する時間を求めることができる。
【００１３】
前項（４）に記載の発明によれば、温度調整完了と判断される目標温度は、カラーで印字する場合と、モノクロで印字する場合でそれぞれ切り替えられるから、画像形成手段の立ち上げに要する時間を、カラーで印字する場合とモノクロで印字する場合とで精度良く求めることができる。
【００１４】
前項（５）に記載の発明によれば、温調完了と判断される目標温度は、設定された用紙種類で切り替えられるから、画像形成手段の立ち上げに要する時間を、設定された用紙種類に応じて精度良く求めることができる。
【００１５】
前項（６）に記載の発明によれば、画像読取り手段によって読み取った画像のページ数が、一定ページ数以下の場合には、プレビュー表示時間も短いので、プレビュー開始と同時に画像形成手段への電力供給が開始される。
【００１６】
前項（７）に記載の発明によれば、プレビュー表示手段により、複数ページが一度にプレビュー表示された場合は、一度に表示可能なページ数単位でのプレビュー表示時間が計測されるから、適正なプレビュー表示時間を計測することができる。
【００１７】
前項（８）に記載の発明によれば、特定ページからプレビュー表示されたばあいであっても、プレビュー表示時間を計測することができる。
【００１８】
前項（９）に記載の発明によれば、画像形成手段の起動前にスタートキーが押下された場合は、直ちに印字を行う必要があるため、直ちに画像形成手段への電力供給が開始されるから、印字までの待ち時間を可及的に短くできる。
【００１９】
前項（１０）に記載の発明によれば、画像読取り手段による原稿の読み込みと並行して、自動的にプレビュー画像を表示するリアルタイムプレビュー表示が行われる場合であっても、画像形成手段の起動タイミングを計算し、計算された起動タイミングで画像形成手段への電力供給を開始することができる。
【００２０】
前項（１１）に記載の発明によれば、リアルタイムプレビュー表示が途中で中止された場合には、直ちに画像形成手段への電力供給が開始されるから、印字までの待ち時間を可及的に短くできる。
【００２１】
前項（１２）に記載の発明によれば、原稿の読取り中やプレビューの確認中といった印字が開始されない状態のときに画像形成手段が復帰することによる無駄な電力の消費を抑制することができる。
【００２２】
前項（１３）に記載の発明によれば、コピージョブについて、画像形成ステップによる出力画像の形成前に読み取った画像をプレビュー表示手段によりプレビュー表示する印字前プレビューモードを予め設定しておき、プレビューモード設定ステップによって印字前プレビューモードが設定されている場合には、省電力からの復帰時に、電源手段から画像形成手段への電力供給を遅延させる処理を、画像形成装置のコンピュータに実行させることができる。
【図面の簡単な説明】
【００２３】
【図１】この発明の一実施形態に係る画像形成装置の構成を示すブロック図である。
【図２】印字前プレビューモードが設定されている状態で、ＭＦＰ１が省電力モードからの復帰するときの画像形成装置の動作を示すフローチャートである。
【図３】印字前プレビューモードが設定されているときの。画像形成部の省電力モードからの復帰タイミングを決定する処理を示すフローチャートである。
【図４】図３のステップＳ１５における定着温度時間の算出処理のサブルーチンを示すフローチャートである。
【図５】図３のステップＳ１６におけるプレビュー平均時間の算出処理のサブルーチンを示すフローチャートである。
【図６】プレビュー表示例を示す図である。
【図７】他のプレビュー表示例を示す図である。
【図８】リアルタイムプレビューモードが設定されているときの、画像形成部の省電力モードからの復帰タイミングを決定する処理を示すフローチャートである。
【発明を実施するための形態】
【００２４】
以下、この発明の実施形態を図面に基づいて説明する。
【００２５】
図１は、この発明の一実施形態に係る画像形成装置１の構成を示すブロック図である。この実施形態では、画像形成装置１として、コピー機能、プリンタ機能、スキャン機能、ファクシミリ機能等を有する多機能デジタル複合機である前述したＭＦＰが用いられている。以下、画像処理装置をＭＦＰともいう。
【００２６】
図１に示すように、ＭＦＰ１は、制御部１００、画像データ記憶部１１０、画像読取り部１２０、操作パネル１３０、画像形成部１４０、プリンタコントローラ１５０、ネットワークインターフェイス（ネットワークＩ/Ｆ）１６０及び電源部１７０等を備え、互いにシステムバス１７５を介して接続されている。
【００２７】
制御部１００は、ＣＰＵ（Central Processing Unit）１０１、ＲＯＭ（Read Only Memory）１０２、Ｓ−ＲＡＭ（Static Random Access Memory）１０３、ＮＶ−ＲＡＭ（Non Volatile RAM）１０４及び時計ＩＣ１０５等を備えている。
【００２８】
ＣＰＵ１０１は、ＲＯＭ１０２等に保存されている動作プログラムを実行することにより、ＭＦＰ１の全体を統括的に制御する。例えばコピー機能、プリンタ機能、スキャン機能、ファクシミリ機能等を実行可能に制御するほか、特にこの実施形態では、一定時間操作がなかった場合の省電力モード（スリープモード）への移行時や、省電力モードからの復帰時に、電源部１７０から画像データ記憶部１１０、画像読取り部１２０、画像形成部１４０等への電力供給を制御したり、コピージョブの実行時に後述する印字前プレビューモードを設定したり、印字前プレビューモードが設定されている場合は、画像読取り部１２０で読み取られた原稿の画像を操作パネル１３０の表示部１３４にプレビュー表示させる等の動作を実行するが、詳細は後述する。
【００２９】
ＲＯＭ１０２は、ＣＰＵ１０１が実行するプログラムやその他のデータを格納する。
【００３０】
Ｓ−ＲＡＭ１０３は、ＣＰＵ１０１がプログラムを実行する際の作業領域となるものであり、プログラムやプログラムを実行する際のデータ等を一時的に保存する。
【００３１】
ＮＶ−ＲＡＭ１０４は、バッテリでバックアップされた不揮発メモリであり、画像形成に係わる各種の設定等を記憶するものである。
【００３２】
時計ＩＣ１０５は、時刻を計時すると共に、内部タイマーとして機能し処理時間の計測等を行う。
【００３３】
画像データ記憶部１１０はハードディスク等からなり、画像読取り部１２０で読み取られた原稿の画像データ、その他のデータ等を保存する。
【００３４】
画像読取り部１２０はスキャナ等を備え、プラテンガラス上にセットされた原稿を走査することによって読み取り、読み取った原稿を画像データに変換する。
【００３５】
操作パネル１３０は、ユーザーがＭＦＰ１へジョブ等の指示や各種設定を行う際に用いられるものであり、リセットー１３１、スタートキー１３２、ストップキー１３３、表示部１３４及びタッチパネル１３５等を備えている。
【００３６】
リセットキー１３１は、設定をリセットする際に使用されるものであり、スタートキー１３２はスキャン等の開始操作に使用されるものであり、ストップキー１３３は動作を中断する場合等に押下されるものである。
【００３７】
表示部１３４は例えば液晶表示部からなり、コピージョブの実行時に印字前プレビューモードが設定されている場合は、画像読取り部１２０で読み取られた原稿の画像をプレビュー表示したり、メッセージや各種の操作画面等を表示するものであり、タッチパネル１３５は表示部１３４の画面上に形成され、ユーザーのタッチ操作を検出する。
【００３８】
画像形成部１４０は、画像読取り部１２０で読み取られ画像データ記憶部１１０に保存されている画像データや、外部装置から送信されたプリントデータ等を用紙上に印字するものである。画像形成部１４０は、出力画像を形成して用紙に転写するエンジン部１４１や、転写された用紙上の画像を加熱加圧して定着する定着器１４２等を有している。
【００３９】
プリンタコントローラ１５０は、ネットワークインターフェース１６０によって受信されたドキュメントファイルからプリント画像を生成するものである。
【００４０】
ネットワークインターフェース（ネットワークＩ/Ｆ）１６０は、外部の端末装置等との間でデータの送受信を行う通信手段として機能する。
【００４１】
電源部１７０は、図示しない商用電源からの電力を、制御部１００のＣＰＵ１０１の指示の下で、制御部１００、画像データ記憶部１１０、画像読取り部１２０、操作パネル１３０、画像形成部１４０、プリンタコントローラ１５０、ネットワークインターフェイス１６０等の各部へ供給するものである。
【００４２】
次に、図１に示したＭＦＰ１の省電力モードからの復帰時の動作を説明する。
【００４３】
この実施形態では、ＭＦＰ１は印字前プレビューモード（以下、印字前プレビューモードを単にプレビューモードともいう）を設定可能となっている。印字前プレビューモードとは、コピージョブについて、画像形成部１４０による出力画像の印字前に、読み取った画像を表示部１３４にプレビュー表示するモードである。このモードは例えばＭＦＰ１の管理者等のユーザーによって予め設定されている。
【００４４】
図２は、印字前プレビューモードが設定されている状態で、ＭＦＰ１が省電力モードからの復帰するときのＭＦＰ１の動作を示すフローチャートである。なお、図２に示すフローチャート及び図３以降に示すフローチャートに示す動作は、ＭＦＰ１の制御部１００におけるＣＰＵ１０１がＲＯＭ１０２等に格納された動作プログラムに従って動作することにより実行される。
【００４５】
ステップＳ０１で、ＣＰＵ１０１は省電力復帰の指示があったか否かを確認し、省電力復帰の指示があった場合には（ステップＳ０１でＹＥＳ）、ステップＳ０２で、電源部１２０を介して画像読取り部１２０へ電力を供給して画像読取り部１２０を復帰させ、ステップＳ０３で画像データ記憶部１１０に電力を供給して画像データ記憶部１１０を復帰させる。次に、ステップＳ０４で、印字前プレビューモードがＯＮかどうかを判定し、印字前プレビューモードがＯＮでなければ（ステップＳ０４でＮＯ）、ステップＳ０５で画像形成部１４０に電力を供給して画像形成部１４０を復帰させる。ステップＳ０１で、省電力復帰の指示がなかった場合は（ステップＳ０１でＮＯ）、各部の省電力からの復帰を行うことなく処理を終了する。ステップＳ０４で印字前プレビューモードがＯＮの場合も（ステップＳ０４でＹＥＳ）、画像形成部１４０の即時の復帰は行わない。
【００４６】
このような処理により、従来技術では、予め印字前プレビューモードが設定されているか否かにかかわらず、省電力復帰指示があれば画像形成部１４０に電力を供給して画像形成部１４０を復帰させていたため、画像形成（印字）が開始されない原稿の読み取り時やプレビュー表示でユーザーが画像を確認している間の不要な画像形成部１４０の電力を消費していたが、本実施形態では、画像形成部１４０の省電力からの復帰がされず、不要な電力消費を無くすことができる。
【００４７】
印字前プレビューモードが設定されている場合、画像読取り部１２０で読み取られた原稿の画像データは一旦画像データ記憶部１１０に保存され、後述するリアルタイムプレビューモードの場合を除き、全ページが読み取られたあと表示部１４０でのプレビュー表示が開始される。
【００４８】
図３は、印字前プレビューモードが設定されているときの、画像形成部１４０の省電力モードからの復帰タイミングを決定する処理を示すフローチャートである。
【００４９】
ステップＳ１１で、読み取った原稿の画像データをプレビュー表示中か否かを判定し、プレビュー表示中であれば（ステップＳ１１でＹＥＳ）、ステップＳ１２で原稿の読み込みページ数（読み込み枚数）を取得する。
【００５０】
次に、ステップＳ１３で、その原稿の読み込みページ数が所定数以下か否かを判定し、所定数以下であれば（ステップＳ１３でＹＥＳ）、ステップＳ１８に進み画像形成部１４０をすぐに復帰させる。所定数以下の場合には、プレビュー表示時間も短いので、プレビュー開始と同時に画像形成部１４０への電力供給を開始する。ここでいう所定ページ数については、定着の復帰時間等から予め決められたページ数でもよいが、より適切なタイミングでの復帰を行うためには、後述するように、そのコピーのカラーモード、用紙種類、現在の定着温度などから復帰時間を算出し、その時間から、平均的なページ単位のプレビュー表示時間を算出して決定してもよい。
【００５１】
ステップＳ１３で、読み込みページ数が所定数以下でなければ（ステップＳ１３でＮＯ）、ステップＳ１４で、途中でプレビュー表示を中止、印字を開始する指示である、スタートキー１３２が押下されたかどうかを判定する。スタートキー１３２が押下された場合には（ステップＳ１４でＹＥＳ）、ステップＳ１８に進み画像形成部１４０をすぐに復帰させる。これによって、直ちに画像形成部１４０への電力供給が開始されるから、印字までの待ち時間を可及的に短くできる。
【００５２】
ステップＳ１４でスタートキーが押下されていない場合には（ステップＳ１４でＮＯ）、ステップＳ１５で定着温度調整（定着温調）時間を算出し、続いてステップＳ１６で、プレビュー表示の平均時間の算出を行う。これらの処理については後述する。
【００５３】
次いでステップＳ１７で、算出された定着温調時間よりも、プレビュー表示する残りのページ数とプレビュー表示の平均時間との積が、等しいかまたは小さくなったかを判定し、等しいかまたは小さくなった場合には（ステップＳ１７でＹＥＳ）、ステップＳ１８で画像形成部１４０を復帰させる。ステップＳ１７で、算出された定着温調時間よりも、プレビュー表示する残りのページ数とプレビュー表示の平均時間との積が大きい場合には（ステップＳ１７でＮＯ）、ステップＳ１４に戻る。
【００５４】
このように、算出された定着温調時間よりも、プレビュー表示する残りのページ数とプレビュー表示の平均時間との積が、等しいかまたは小さくなった場合に画像形成部１４０に電力を供給して復帰させるから、プレビュー表示の完了に合わせて印字を開始することができる。このため、プレビュー表示が全て完了した後で画像形成部１４０を復帰させる場合に較べて、消費電力の抑制を図りながら、ユーザーが出力物を受け取るまでの時間を短くでき、最適な起動タイミングで画像形成部１４０を復帰させることができる。
【００５５】
図４は、図３のステップＳ１５における定着温度時間の算出処理のサブルーチンを示すフローチャートである。
【００５６】
ステップＳ１５１では現在の定着器１４２の温度（定着温度）を取得する。次にステップＳ１５２で、印字モードはカラーモードか否かを判定し、カラーモードであれば（ステップＳ１５２でＹＥＳ）、ステップＳ１５３で、カラー印字時で、かつ、指定された用紙種類に応じた目標温度を設定する。ステップＳ１５２でモノクロモードであれば（ステップＳ１５２でＮＯ）、ステップＳ１５４で、モノクロ印字時、かつ、指定された用紙種類に応じた目標温度を設定する。カラーモード及びモノクロモードにおける各目標温度は、例えばＮＶ−ＲＡＭ１０４等に記憶されている。
【００５７】
次いでステップＳ１５５で、設定された目標温度と定着器１４２の現在の温度から、目標温度まで昇温するまでの時間を算出したのち、リターンする。
【００５８】
図５は、図３のステップＳ１６におけるプレビュー平均時間の算出処理のサブルーチンを示すフローチャートである。
【００５９】
ステップＳ１６１で、リアルタイムプレビューが設定されているか否かを判定する。リアルタイムプレビューとは、画像読取り部１２０による原稿の読み込みと並行して、自動的にプレビュー画像を表示部１３４に表示するプレビュー表示機能をいう。この実施形態では、リアルタイムプレビューの場合には、各ページのプレビュー表示は固定の時間で行われるようになっており、このためリアルタイムプレビューが設定されている場合は（ステップＳ１６１でＹＥＳ）、ステップＳ１６８で固定のプレビュー時間を設定する。
【００６０】
リアルタイムプレビューでなかった場合には（ステップＳ１６１でＮＯ）、ステップＳ１６２で、現在表示中のプレビュー画面が、停止もしくは所定速度以下でスクロールされて、所定時間以上表示されているかどうかを判定する。所定時間以上表示されていない場合には（ステップＳ１６２でＮＯ）、ステップＳ１６４に進む。所定時間以上表示されている場合には（ステップＳ１６２でＹＥＳ）、ステップＳ１６３で、現在のプレビュー表示しているページを「表示済み」に設定したのちステップＳ１６４に進む。ここでいう、表示済みのプレビューページとは、表示部１３４の表示画面により、複数ページの原稿画像を１画面でプレビュー表示できる場合に、その複数ページ単位を１ページとして扱ったページ数とすることで、その画面単位で確認していた場合も、原稿１ページ毎にプレビュー表示している場合と同様の処理で対応できるため、表示画面単位での処理としている。
【００６１】
ステップＳ１６４ではプレビューを開始した時刻を取得し、次にステップＳ１６５で現在時刻を取得する。さらに、ステップＳ１６６で表示済みのプレビューページ数を取得する。そして、ステップＳ１６７で、（現在時刻−プレビュー開始時間）／表示済みページ数という計算をすることで、表示画面単位のプレビュー表示平均時間を算出したのち、リターンする。
【００６２】
図６及び図７はそれぞれプレビュー表示例を示すものである。図６は横にスクロールする例であり、中央の原稿のみ大きくすることで、原稿１ページ単位での確認をしやすくした例である。中央の原稿のみを１ページと計算してプレビュー表示時間を計測する。
【００６３】
図７は、表示画面との関係もあるが、各原稿のページを同じサイズでタイル状に並べたもので、原稿１ページ単位での確認よりも大まかな確認を一度にできるようにした例である。複数ページを一度にプレビュー表示でき、一度に表示可能なページ数単位でのプレビュー表示時間を計測する。
【００６４】
図８は、リアルタイムプレビューモードが設定されているときの、画像形成部１４０の省電力モードからの復帰タイミングを決定する処理を示すフローチャートである。
【００６５】
ステップＳ２１で、原稿の読取りと同時にプレビューを表示するリアルタイムプレビューの場合には、原稿の読み込み枚数が、最終原稿の給紙開始時まで確定しないため、ＭＦＰ１の復帰タイミングの計算もできない。このため、まずステップＳ２１で、最終原稿が給紙開始されたか否かを判定し、最終原稿が給紙開始されていなければ（ステップＳ２１でＮＯ）、最終原稿が給紙開始されるまで待つ。給紙開始されていると（ステップＳ２１でＹＥＳ）、以下の処理を行う。
【００６６】
即ち、ステップＳ２２で、リアルタイムプレビューモードをユーザーによって中止されたか否かを判定し、中止された場合には（ステップＳ２２でＹＥＳ）、ステップＳ２７に進み画像形成部１４０をすぐに復帰させる。これにより、ユーザーは印字物を得るまでの待ち時間を可及的に短くできる。
【００６７】
ステップＳ２２で中止されていなければ（ステップＳ２２でＮＯ）、ステップＳ２３で読み込み枚数を取得し、ステップＳ２４で定着温調時間を算出し、ステップＳ２５でプレビュー表示の平均時間の算出を行う。そしてステップＳ２６で、算出された定着温調に掛かる時間よりも、プレビュー表示する残りのページとプレビュー表示の平均時間との積が、等しいかまたは小さくなったかを判定する。プレビュー表示する残りのページとプレビュー表示の平均時間との積の方が大きい場合は（ステップＳ２６でＮＯ）、ステップＳ２６に留まり、プレビュー表示する残りのページとプレビュー表示の平均時間との積が等しいかまたは小さくなるまで待つ。等しいかまたは小さくなった場合には（ステップＳ２６でＹＥＳ）、ステップＳ２７で画像形成部１４０を復帰させる。
【００６８】
図８に示した実施形態においても、算出された定着温調時間よりも、プレビュー表示する残りのページ数とプレビュー表示の平均時間との積が、等しいかまたは小さくなった場合に画像形成部１４０に電力を供給して復帰させるから、プレビュー表示の完了に合わせて印字を開始することができる。このため、プレビュー表示が全て完了した後で画像形成部１４０を復帰させる場合に較べて、消費電力の抑制を図りながら、ユーザーが出力物を受け取るまでの時間を短くでき、最適な起動タイミングで画像形成部１４０を復帰させることができる。
【符号の説明】
【００６９】
１    画像形成装置
１００  制御部
１０１  ＣＰＵ
１０２  ＲＯＭ
１１０  画像データ記憶部
１２０  画像読取り部
１４０  画像形成部
１４１  エンジン部
１４２  定着器
【図１】
2018169560.tif 000003
【図２】
2018169560.tif 000004
【図３】
2018169560.tif 000005
【図４】
2018169560.tif 000006
【図５】
2018169560.tif 000007
【図６】
2018169560.tif 000008
【図７】
2018169560.tif 000009
【図８】
2018169560.tif 000010